(57)【要約】【課題】本体ケースの底面及び側面を被覆するカバーを備えた構成であっても、本体ケースからカバーをスムーズに取り外せるプロジェクタを提供する。【解決手段】本体ケース１の底面及び側面を被覆するカバー６の側面部６２に、底面部６１と平行に延出して先端に鉤部６２４，６２５を有するフック６２１，６２２を形成し、本体ケース１にフック６２１，６２２の掛合部と、本体ケース１の底面側３１の端部から少なくとも一定間隔を空けて複数の突起３５Ａ〜３５Ｃを設ける。また、鉤部の長さＬを突起の高さＨ以下にする。本体ケース１にカバー６を装着すると、掛合部によりフック６２１，６２２が掛止され、突起３５Ａ〜３５Ｃにより本体ケース１とカバー６との間に隙間が空いた状態となる。底面部６１の端部近傍を加圧すると、突起３５Ａを支点としてカバー６を撓ませてフック６２１，６２２を外すことができ、カバー６を本体ケース１から簡単に取り外せる。【選択図】図４
2007304518.tif 000002
【特許請求の範囲】
【請求項１】
ランプユニットから放出された光を用いて画像をスクリーンに投影するプロジェクタにおいて、
前記ランプユニットを着脱可能な開口部が形成された本体ケースと、
断面がＬ字型で、前記本体ケースに装着すると前記開口部を含む本体ケースの底面及び側面を被覆し、前記本体ケースの底面に沿ってスライドさせて取り外し可能なカバーと、
を備え、
前記カバーは、前記本体ケースの底面を被覆する面と平行に延出して先端に鉤部が形成されたフックを、前記本体ケースの側面を被覆する面に備え、
前記本体ケースは、前記底面における前記開口部の周囲に、前記底面の端部から少なくとも一定間隔を空けて形成された複数の突起部と、
前記本体ケースの側面に形成され、その内面の少なくとも一部が傾斜面である孔部と、前記本体ケースの底面に対して垂直に立設し、前記フックの鉤部と掛合する掛止片と、から成る掛合部と、を備え、
前記鉤部の長さは、前記突起の高さ以下であるプロジェクタ。
【請求項２】
ランプユニットから放出された光を用いて画像をスクリーンに投影するプロジェクタにおいて、
前記ランプユニットを着脱可能な開口部が形成された本体ケースと、
断面がＬ字型で、前記本体ケースに装着すると前記開口部を含む本体ケースの底面及び側面を被覆し、前記本体ケースの底面に沿ってスライドさせて取り外し可能なカバーと、
を備え、
前記カバーは、前記本体ケースの底面を被覆する面と平行に延出して先端に鉤部が形成されたフックを、前記本体ケースの側面を被覆する面に備え、
前記本体ケースは、前記底面における前記開口部の周囲に、前記底面の端部から少なくとも一定間隔を空けて形成された複数の突起部と、前記フックと掛合する掛合部と、を備え、
前記鉤部の長さは、前記突起の高さ以下であるプロジェクタ。
【請求項３】
ランプユニットから放出された光を用いて画像をスクリーンに投影するプロジェクタにおいて、
前記ランプユニットを着脱可能な開口部を有する本体ケースと、
断面がＬ字型で、前記本体ケースに装着すると前記開口部を含む本体ケースの底面及び側面を被覆し、前記本体ケースの底面に沿ってスライドさせて取り外し可能なカバーと、
を備え、
前記カバーは、前記本体ケースの側面を被覆する面に、前記本体ケースの底面を被覆する面と平行に延出して先端に鉤部が形成されたフックと、
前記本体ケースの底面を被覆する面における前記開口部の周囲と対向する位置に、前記本体ケースの底面を被覆する面の端部から少なくとも一定間隔を空けて形成された複数の突起部と、を備え、
前記本体ケースは、前記フックと掛合する掛合部と、を備え、
前記鉤部の長さは、前記突起の高さ以下であるプロジェクタ。
【請求項４】
前記掛合部は、前記本体ケースの側面に形成された孔部と、
前記本体ケースの底面に対して垂直に立設し、前記フックの鉤部と掛合する掛止片と、から成る請求項２または３に記載のプロジェクタ。
【請求項５】
前記孔部は、その内面の少なくとも一部が傾斜面である請求項４に記載のプロジェクタ。
【発明の詳細な説明】
【技術分野】
【０００１】
この発明は、ケース本体からカバーを取り外して、ケース本体に形成された開口部からランプユニットを取り外して交換できるプロジェクタに関する。
【背景技術】
【０００２】
ディジタル・マイクロミラー・デバイス（ＤＭＤ）や、液晶表示デバイス等の画像表示デバイスに対してランプから光を照射して、この画像表示デバイスに表示させた画像をスクリーンに投影する方式のプロジェクタが普及しつつある。このようなプロジェクタでは、光源として使用するランプの光量が落ちたり、何らかの理由でランプが破損したりすることから、ランプユニットを簡単に交換できる構成を採用している。例えば、本体ケースの側面に設けたランプドアを回動させてランプボックスを交換する構造のプロジェクタがあった。（特許文献１参照。）。また、回動部材のロック機構としては、ロックの力量及びロック解除の力量が安定し、耐久性、操作性のすぐれた小型化が可能な回動部材のロック機構に関する発明が開示されている（特許文献２参照。）。
【特許文献１】実用新案登録第３０９２１６１号公報
【特許文献２】実開昭６０−６８６７６号公報
【発明の開示】
【発明が解決しようとする課題】
【０００３】
近時、プロジェクタにおいて、小型化の要求が高まっている。これに伴い、プロジェクタの部品配置や本体ケースの構造も多岐にわたり、プロジェクタによっては、部品配置の関係等で、ケース本体の底面及び側面を被覆する必要があるものがあった。
【０００４】
しかしながら、このようにケース本体の底面及び側面をカバーで被覆する場合、特許文献１，２に記載されている構成を適用できないか、適用できたとしても、カバーを容易に取り外すことができないという問題があった。
【０００５】
そこで、本発明は、ケース本体の底面及び側面を被覆するカバーを備えた構成であっても、本体ケースからカバーをスムーズに取り外すことができるプロジェクタを提供することを目的とする。
【課題を解決するための手段】
【０００６】
この発明は、上記の課題を解決するための手段として、以下の構成を備えている。
【０００７】
（１）ランプユニットから放出された光を用いて画像をスクリーンに投影するプロジェクタにおいて、
前記ランプユニットを着脱可能な開口部が形成された本体ケースと、
断面がＬ字型で、前記本体ケースに装着すると前記開口部を含む本体ケースの底面及び側面を被覆し、前記本体ケースの底面に沿ってスライドさせて取り外し可能なカバーと、
を備え、
前記カバーは、前記本体ケースの底面を被覆する面と平行に延出して先端に鉤部が形成されたフックを、前記本体ケースの側面を被覆する面に備え、
前記本体ケースは、前記底面における前記開口部の周囲に、前記底面の端部から少なくとも一定間隔を空けて形成された複数の突起部と、前記フックと掛合する掛合部と、を備え、
前記鉤部の長さは、前記突起の高さ以下であることを特徴とする。
【０００８】
この構成においては、カバーは、本体ケースの開口部を含む底面と側面を被覆する。また、カバーにおける本体ケースの側面を被覆する面に、カバーにおける底面を被覆する面と平行に延出して、先端に鉤部を有するフックを備えている。さらに、本体ケースには、フックと掛合する掛合部を設けるとともに、底面の端部から少なくとも一定間隔を空けて複数の突起部を設けている。また、フックの鉤部の長さを、本体ケースに設けた突起の高さ以下にしている。そのため、プロジェクタの本体ケースにカバーを装着すると、掛合部とフックが掛合し、突起部により本体ケースとカバーとの間には、突起部の高さ分の隙間ができた状態になる。また、プロジェクタの本体ケースからカバーを取り外すときには、突起部よりも端部側のカバー底面を押さえると、突起部を支点としてカバーを容易に撓ませることができる。したがって、カバーが撓むと掛合部からフックが外すことができるので、カバーを本体ケース底面に沿ってスライドさせることで、本体ケースからカバーを簡単に取り外すことができる。
【０００９】
（２）ランプユニットから放出された光を用いて画像をスクリーンに投影するプロジェクタにおいて、
前記ランプユニットを着脱可能な開口部を有する本体ケースと、
断面がＬ字型で、前記本体ケースに装着すると前記開口部を含む本体ケースの底面及び側面を被覆し、前記本体ケースの底面に沿ってスライドさせて取り外し可能なカバーと、
を備え、
前記カバーは、前記本体ケースの側面を被覆する面に、前記本体ケースの底面を被覆する面と平行に延出して先端に鉤部が形成されたフックと、
前記本体ケースの底面を被覆する面における前記開口部の周囲と対向する位置に、前記本体ケースの底面を被覆する面の端部から少なくとも一定間隔を空けて形成された複数の突起部と、を備え、
前記本体ケースは、前記フックと掛合する掛合部と、を備え、
前記鉤部の長さは、前記突起の高さ以下であることを特徴とする。
【００１０】
この構成においては、カバーは、本体ケースの開口部を含む底面と側面を被覆する。また、カバーにおいて、本体ケースの側面を被覆する面に、カバーの本体ケースの底面を被覆する面と平行に延出して、先端に鉤部を有するフックを備えている。さらに、カバーには、本体ケースの底面を被覆する面において、その端部から少なくとも一定間隔を空けて複数の突起部が形成されている。また、フックの鉤部の長さを、本体ケースに設けた突起の高さ以下にしている。また、本体ケースには、フックと掛合する掛合部を設けている。そのため、プロジェクタの本体ケースの底面及び側面を被覆するカバーを装着すると、掛合部とフックが掛合し、突起部により本体ケースとカバーとの間に隙間が空いた状態にすることができる。また、プロジェクタの本体ケースからカバーを取り外すときには、突起部よりも端部側の底面を押さえると、突起を支点としてカバーを容易に撓ませることができる。したがって、掛合部からフックを容易に外すことができるので、カバーを本体ケース底面に沿ってスライドさせることで、本体ケースからカバーを簡単に取り外すことができる。
【００１１】
（３）前記掛合部は、前記本体ケースの側面に形成された孔部と、
前記本体ケースの底面に対して垂直に立設し、前記フックの鉤部と掛合する掛止片と、から成ることを特徴とする。
【００１２】
この構成においては、掛合部は、孔部と掛止片とから成るので、孔部のみでフックを掛止する場合に比べて、フックをより確実に掛止することができる。
【００１３】
（４）前記孔部は、その内面の少なくとも一部が傾斜面であることを特徴とする。
【００１４】
この構成においては、掛合部の孔部の内面における少なくとも一部が傾斜面なので、本体ケースにカバーを取り付ける際に、フックの挿入時に孔部の内面に引っかかることがなく、フックをスムーズに挿入することが可能となる。
【発明の効果】
【００１５】
本発明によれば、プロジェクタの本体ケースからカバーを取り外すときには、突起部よりも端部側のカバー底面を押さえると、突起部を支点としてカバーを撓ませて掛合部からフックを容易に外すことができるので、カバーを本体ケースの底面に沿ってスライドさせることで、本体ケースからカバーを簡単に取り外すことができる。
【発明を実施するための最良の形態】
【００１６】
図１は、プロジェクタの外観、下ケースの内側、及びプロジェクタ内の各部の配置を示す上方斜視図である。図２は、下ケースからカバーを取り外した状態、及び下ケースにカバーを取り付けた状態を示す底面側の外観図である。
【００１７】
プロジェクタ１００は、パソコンやビデオカメラ等から入力される画像データを基に画像を生成し、その画像をスクリーン等に投影表示する装置である。図１（Ａ）に示すように、プロジェクタ１００の本体ケース１は、上ケース２、下ケース３、フロントパネル４、及びリアパネル５から成る。
【００１８】
図１（Ｂ）に示すように、プロジェクタ１００は、本体ケース１内にランプユニット１１、画像投射ユニット１３、電源基板１５、制御基板１７、及びファン１８，１９等を備えている。
【００１９】
プロジェクタ１００の組み立て時には、図１（Ｃ）に示すように、本体ケース１から上ケース２を取り外した状態で各部を取り付ける。下ケース３には、開口部３３及びその周囲である底面及び側面を被覆するカバー６が着脱自在に取り付けられている。ランプユニット１１は、開口部３３から着脱自在である。ランプユニット１１が破損した等の場合には、カバー６を底面に沿ってスライドさせて取り外してから、ランプユニット１１を交換する。
【００２０】
図２（Ａ）に示すように、カバー６は、下ケース３の底面側３１を被覆する底面部６１、及び下ケース３の側面側３２を被覆する側面部６２から成る。下ケース３にカバー６を取り付けた状態では、カバー６の外面と下ケース３の外面とは、同じ高さに揃った状態になる。また、図２（Ｂ）に示すように、下ケース３に形成された開口部３３は、その周囲に周縁部３４を備えている。さらに、図２（Ｂ）に示すように、周縁部３４の底面部３４１には、一定の間隔でお椀型の突起３５Ａ〜３５Ｃが形成されている。また、突起３５Ａは、周縁部３４の底面部３４１の端部、つまり、底面部３４１と側面部３４２との境界であるコーナ３４３から一定の間隔を空けて設けている。また、突起３５Ｂ，３５Ｃは、突起３５Ａよりもコーナ３４３からさらに間隔を空けて形成されている。
【００２１】
下ケース３からカバー６を取り外した状態では、下ケース３の底面側３１及び側面側３２の壁面と、周縁部３４の底面部３４１及び側面部３４２と、の間には、カバー６の厚みＴと突起３５Ａ〜３５Ｃの高さＨとの合計分の段差がある。また、下ケース３において、周縁部３４の側面部３４２には、後述するカバー６のフック６２１，６２２を挿入する掛止孔３４４，３４５が形成されている。
【００２２】
図３は、カバーの内側を示す概観図である。図３（Ａ）に示すように、カバー６の側面部６２には、その内側の面、つまり本体ケースの側面側３２に対向させる面に、一定の間隔を開けてフック６２１とフック６２２を形成している。フック６２１，６２２は、先端部が尖形に形成されており、また、先端に鉤部６２４，６２５を備えている（詳細は、後述の図４（Ａ）参照。）。鉤部６２４，６２５の長さＬは、突起３５Ａ〜３５Ｃの高さＨ以下に形成している。また、カバー６の底面部６１には、側面部６２と反対側の端部近傍に、一定の間隔を開けて掛止片６１１及び掛止片６１２が形成されている。
【００２３】
図３（Ｂ）に示すように、下ケース３にカバー６を装着すると、掛止片６１１，６１２が、下ケース３の周縁部３４の底面部３４１と掛合する。
【００２４】
図４は、下ケースに設けた掛止孔付近の断面拡大図である。なお、図４には、掛止孔３２３にフック６２１が掛止された状態のみを示しているが、掛止孔３２４及びフック６２２の形状及び両者の掛止状態は、掛止孔３２３，フック６１１と同様であるため図示を省略する。
【００２５】
図４（Ａ）に示すように、掛止孔３４４（３４５）の内側には、カバー６に形成されたフック６２１（６２２）を掛止する掛止片３２５（３２６）が形成されている。また、掛止孔３４４（３４５）の下面３４４Ａ（３４５Ａ）には、フック６２１（６２２）を容易に挿入できるように、Ｃ面加工が施されている。なお、下面３４４Ａ（３４５Ａ）は、Ｃ面に限るものではなく、下ケース３の内側の方が外側よりも高い傾斜面であれば、平面であっても曲面であっても良い。
【００２６】
また、下ケース３にカバー６を取り付けた際には、下ケース３の周縁部３４（底面部３４１）に設けた突起３５Ａ〜３５Ｃがカバー６の内面に当たるので、カバー６の内面（下ケース３の底面側３１に対向させる面）と、下ケース３の周縁部３４の底面部３４１と、の間には、突起３５Ａ〜３５Ｃの高さＨ分の隙間ができる。
【００２７】
次に、図４（Ｂ）に基づいて、カバー６の取り外し方及び取り付け方を説明する。下ケース３からカバー６を取り外す際には、（１）まず、カバー６の底面部６１におけるコーナ部６３近傍を指で押さえて、本体ケース１の底面から上面の方向に力を加える。これにより、図４（Ｂ）に示すように、（２）カバー６の底面部６１が突起３５Ａを支点として撓み、カバー６の側面部６２及びフック６２１が本体ケース１の上面方向に移動する。この際、掛止部に掛止されているフック６２１が掛止片３２５から離れる方向に移動する。
【００２８】
ここで、前記のように、突起３５Ａ〜３５Ｃを高さＨとしているので、カバー６の内面と下ケース３の周縁部３４の底面部３４１との間には、突起３５Ａ〜３５Ｃの高さＨ分の隙間ができる。また、鉤部６２４，６２５の長さＬを、突起３５Ａ〜３５Ｃの高さＨ以下に形成している。そのため、カバー６の底面部６１が突起３５Ａを支点として撓んで、底面部６１が本体ケースの底面側３１に当たる直前か当たったときに、（３）フック６２１の鉤部６２４は掛止片３２５から外れる。そして、（４）カバー６の底面部６１に力を加えた状態で、さらにカバー６を本体ケースの側面側３２の方向にスライドさせるように力を加える。これにより、フック６２１（６２２）を掛止孔３４４（３４５）から抜けるので、下ケース３からカバー６を容易に取り外すことができる。
【００２９】
次に、下ケース３にカバー６を取り付ける場合には、カバー６の内面（下ケース３の底面側に対向する面）を下ケース３の周縁部３４に設けた突起３５Ａ〜３５Ｃに当接させた状態で側面方向にスライドさせて、フック６２１を掛止孔３４４へ、フック６２２を掛止孔３４５へ、それぞれ挿入する。このとき、掛止孔３４４，３４５の下辺３４４Ａ及び３４５Ａには、Ｃ面加工が施されており、またフック６２１，６２２は前記のように先端が尖形に形成されているので、フック６２１を掛止孔３４４へ、フック６２２を掛止孔３４５へ、それぞれ容易に挿入できる。
【００３０】
さらに、カバー６をスライドさせると、下ケース３の開口部３３及び周縁部３４の全体がカバー６により被覆された状態になり、フック６２１（６１２）が掛止片３２５（３２６）に掛止され、また、掛止片６１１，６１２が、下ケース３の周縁部３４の底面部３４１と掛合して、カバー６の装着が完了する。
【００３１】
図５は、カバーに設けた突起を示す図である。ここで、以上の説明では、下ケース３の周縁部３４に突起３５Ａ〜３５Ｃを設けた例を挙げて説明したが、本発明は、これに限るものではなく、図５に示すように、カバー６の周縁部３４に対向する内面側に突起６５Ａ〜６５Ｃを設けることも可能である。このとき、鉤部６２４，６２５の長さＬは、突起６５Ａ〜６５Ｃの高さＨ以下に形成する。これにより、この構成においても、下ケース３の底面側３１に突起３５Ａ〜３５Ｃを設けた場合と同様の効果を得ることができる。
【００３２】
以上のように、本発明では、下ケース３とカバー６と間に隙間を設けるとともに、カバー６を取り外すために力を加えた際に支点となるように突起３５Ａを設けたので、カバー６にわずかな力を加えるだけで、容易にカバー６をスライドさせて、下ケース３から取り外すことができる。したがって、ユーザは、ランプユニット１１をスムーズに交換できる。
【図面の簡単な説明】
【００３３】
【図１】プロジェクタの外観、下ケースの内側、及びプロジェクタ内の各部の配置を示す上方斜視図である。
【図２】下ケースからカバーを取り外した状態、及び下ケースにカバーを取り付けた状態を示す底面側の外観図である。
【図３】カバーの内側を示す概観図である。
【図４】下ケースに設けた掛止孔付近の断面拡大図である。
【図５】カバーに設けた突起を示す図である。
【符号の説明】
【００３４】
１−本体ケース    ２−上ケース    ３−下ケース    ６−カバー    １１−ランプユニット    ３３−開口部    ３４−周縁部    ３５Ａ〜３５Ｃ−突起    ６１−底面部    ６２−側面部    ６３−コーナ部    ６５Ａ−突起    １００−プロジェクタ    ３２３，３２４−掛止孔    ３２５−掛止片    ３４１−底面部    ３４２−側面部    ３４３−コーナ    ３４４，３４５−掛止孔    ６１１，６１２−掛止片    ６２１，６２２−フック    ６２４，６２５−鉤部
【図１】
2007304518.tif 000003
【図２】
2007304518.tif 000004
【図３】
2007304518.tif 000005
【図４】
2007304518.tif 000006
【図５】
2007304518.tif 000007